(57)【要約】      （修正有）【課題】  一枚のブランク板から形成されたトレー状容器が、扁平に折り畳み可能で保管に適し、しかも簡便な操作で再組立することができ、液漏れ等の発生しない折畳み可能な組立容器を提供する。【解決手段】  矩形状の底板１の前後辺に対向する前板２および後板３を連設し、前板２および後板３の両側辺４に外折込片５を連設し、底板１の左右辺に対向する側板４を連設し、外折込片５と内折込片６とが前記底板１の四隅から放射状に伸びる折線を介して連結角部を形成し、前板２および後板３の延長上には折返し板７を連設し、折返し板７の両側端延長上に順設された巻き回し板８と把持板９との間に巻き回し板８向きに掛止切込１０を穿設し、底板１の四隅から底板１の前後辺に対して所定の角度を有する折畳補助折線Ｌ７が前板２および後板３と折返し板７とに亘って刻設された構成で形成されるトレー状容器を折畳補助折線Ｌ７を用いて扁平に折り畳み可能な組立容器。【選択図】        図１
2008143574.tif 000002
【特許請求の範囲】
【請求項１】
矩形状の底板の前後辺には対向する前板および後板を連設し、該前板および後板の両側辺にはそれぞれ外折込片を連設し、前記底板の左右辺には対向する側板を連設し、前記外折込片と内折込片とが前記底板の四隅から放射状に外方向に伸びる折線を介して連結角部を形成し、前記前板および後板の延長上にはそれぞれ折返し板を連設し、該折返し板の両側端延長上に巻き回し板、把持板をそれぞれ順設するとともに、前記巻き回し板と把持板との間の折線上には巻き回し板向きに膨出形状の掛止切込が穿設され、前記底板の四隅から前記底板の前後辺に対して所定の角度を有する折畳補助折線が前記前板および後板とそれぞれの折返し板とに亘って刻設された構成からなり、前記底板から四周の側板を起立させ、前記両側板の外側面に前記連結角部の内折込片が貼着されてトレー状容器を形成し、さらに前記折畳補助折線を用いて扁平に折り畳み自在な組立容器であって、前記底板の四周の側板を再起立させ、前記折返し板をそれぞれ外折して前記前板および後板の外側面に重合し、さらに前記巻き回し板および把持板を前記両側板の外側面に貼着された連結角部の外折込片に巻き回して重合させるとともに、前記連結角部の貼着部端縁に前記掛止切込を掛け止めして再組立することを特徴とする折畳み可能な組立容器。
【発明の詳細な説明】
【技術分野】
【０００１】
本発明は、板紙等シート状物からなる組立容器に係り、詳しくは一枚のブランク板から形成されたトレー状容器が、扁平に折り畳み可能で、しかも簡便な操作で再組立することができる折畳み可能な組立容器に関する。
【背景技術】
【０００２】
パンやケーキの焼き上げに使用される紙容器として、従来、厚紙を絞り成形したものや、厚紙を折り曲げ角部を貼着や係合固定して得られるトレー状容器が使用されてきたが、このようなトレー状容器は容器自体の製造に機械的工程を必要としたり、製造コストが高いばかりでなく、トレー形状の立体に成形されている為、搬送・保管に無駄なスペースを必要とする不都合を有するものであった。これに対し、板紙を打ち抜き、折線等の加工を施してなるブランク板を折り曲げることによって、簡単に組み立てることの出来る組立容器が提案されている（例えば、特許文献１）。
【特許文献１】実開昭５１−１２２８３３号公報
【０００３】
前記特許文献１に示された考案に係る組立容器は、「方形の底板１の上下端には台形の側板２、２を、左右端には台形乃至三角形状の側板３、３を夫々山折線を介して連設し、底板１の隅角部より外方に向って放射状に逆三角形状の隅片４、５、６を、隅片４、６は夫々山折線ａ、ｂを介して側板２、３に、又隅片５は谷折線ｃ及び山折線ｄを介して隅片４及び６に夫々隣接し合うように連設し、側板２及び隅片４、４の外方に夫々谷折線ｅ及びｆ、ｆを介してパネル７及び８、８を、パネル７と８とが谷折線ｇを介して隣接し合うように連設してなる組立容器。」が記載され、折り曲げ組み立てには、「山折線ｄに沿って隅片５、６を合掌させるように折り合わせつつ谷折線ｃ及び山折線ｂに沿って折り曲げて、折り合わされた隅片５、６を隅片４に折り重ね、次いで谷折線ｅ及びｆ、ｆに沿ってパネル７及び８、８を折り曲げて側板２及び隅片６、６に折り重ね、続いて山折線ａ及び谷折線ｇに沿って折り曲げて側板２及びパネル７を外方へ押し出して、容器体上縁を八角形にして容器の組立を完了する。」ものとされ、一片の板紙を打抜き、筋押し加工してなるブランク板を折り曲げるだけで簡単に容器状に組立てることができ、従って使用時に組み立てればよいから扁平なブランク板のまま保管、搬送でき、焼き上げられたパン、ケーキ等を取り出す際には簡単に組立てを解いて組立前のブランク板状に展延しうるという組立容器を提供する旨が記載されている。
【０００４】
しかしながら、組立状態は、谷折りされた側板の外側面に折返されたパネルが隅片の折り重ね上辺部分をカバーしているだけで、しかも容器の上端部形状は比較的外圧によって変形し易い形状となるため、外圧により誤ってカバー部分が外れ、容器が組立状態を維持できないという惧れがあり、例えば即席麺等の場合、容器内調理の為に注入される熱湯がこぼれることによる周囲の汚損や火傷の危険性などを内包するものである。
【発明の開示】
【発明が解決しようとする課題】
【０００５】
そこで、本発明の目的は、上記問題を解決するためになしたものであって、一枚のブランク板から形成されたトレー状容器が、扁平に折り畳み可能で保管に適し、しかも簡便な操作で再組立することができ、液漏れ等の発生しない折畳み可能な組立容器を提供する。
【課題を解決するための手段】
【０００６】
上記課題を解決するため、請求項１記載の発明は、矩形状の底板の前後辺には対向する前板および後板を連設し、該前板および後板の両側辺にはそれぞれ外折込片を連設し、前記底板の左右辺には対向する側板を連設し、前記外折込片と内折込片とが前記底板の四隅から放射状に外方向に伸びる折線を介して連結角部を形成し、前記前板および後板の延長上にはそれぞれ折返し板を連設し、該折返し板の両側端延長上に巻き回し板、把持板をそれぞれ順設するとともに、前記巻き回し板と把持板との間の折線上には巻き回し板向きに膨出形状の掛止切込が穿設され、前記底板の四隅から前記底板の前後辺に対して所定の角度を有する折畳補助折線が前記前板および後板とそれぞれの折返し板とに亘って刻設された構成からなり、前記底板から四周の側板を起立させ、前記両側板の外側面に前記連結角部の内折込片が貼着されてトレー状容器を形成し、さらに前記折畳補助折線を用いて扁平に折り畳み自在な組立容器であって、前記底板の四周の側板を再起立させ、前記折返し板をそれぞれ外折して前記前板および後板の外側面に重合し、さらに前記巻き回し板および把持板を前記両側板の外側面に貼着された連結角部の外折込片に巻き回して重合させるとともに、前記連結角部の貼着部端縁に前記掛止切込を掛け止めして再組立することを特徴とする折畳み可能な組立容器である。
【発明の効果】
【０００７】
本発明の折畳み可能な組立容器は、ブランク板の底板から四周の側板を起立させ、一方の対向する側板の外側面に、それぞれ連結角部の内折込片が貼着されて形成されたトレー状容器を、補助折線を用いて扁平に折り畳まれるので、使用前の保管や搬送のためのスペースを抑制することができ、かつ使用すなわち再組立にあたっては、簡便な操作でトレー状に再形成でき、しかも強固な係止固定によってトレーの組立状態を維持できるという効果を有する。また、使用後は組立操作の逆手順で、容易に扁平なブランク状態とすることができ、廃棄に際しての減容化を速やかに行うことができる。
【０００８】
さらに、底板の四周に延設された各側板の隣接する側板同士の連結角部は、容器高さ方向のウェブコーナー構造とされているので液漏れ等が発生せず、また前述のように、トレー状容器は強固な係止固定を行っているので組立状態が維持され、例えば即席麺等の容器内調理において注入される熱湯などによる容器の内方からの圧力上昇で、容器が変形し係止状態が外れ、組立状態が保持されなくなって熱湯がこぼれる等によって発生する周囲の汚損や火傷の危険性を低減することが出来る。
【０００９】
折り畳み状態の外観は、扁平な変形六角形状を呈し、保管あるいは搬送状態において嵩張らず、かつ係止操作に係る巻き回し板および把持片部分も前記変形六角形状の内側で折り畳まれ突出していないので、保管あるいは搬送中の破損等の惧れが少ないという効果がある。
【発明を実施するための最良の形態】
【００１０】
上記本発明について、図面等を用いて以下に詳述する。図１は本発明に係る折畳み可能な組立容器の実施例のブランク状態を示す展開平面図。図２は同じく実施例の貼着工程完了状態を示す説明用斜視図。図３は同じく実施例の折畳み途中の状態を示す説明用斜視図。図４は同じく実施例の折畳み完了の状態を示す説明用斜視図。図５は同じく実施例の組立完了の状態を示す説明用斜視図である。
【００１１】
図１は本発明に係る折畳み可能な組立容器の実施例のブランク状態を示す展開平面図であって、板紙等シート材を打抜き加工して形成されるブランクＰは、方形の底板１と、その四周のうちそれぞれ対向する折線Ｌ１、Ｌ１およびＬ２、Ｌ２を介してそれぞれ前板２、後板３および両側板４、４を連設し、前記前板２および後板３の両側辺にはそれぞれ折線Ｌ３を介して外折込片５が連設され、前記両側板４、４の両側辺にはそれぞれ折線Ｌ４を介して内折込片６が連設されるとともに、前記それぞれの外折込片５と内折込片６とは底板１の四隅から放射状に外方向に伸びる折線Ｌ５を介して連結角部を形成しており、前記前板２および後板３の延長上にはそれぞれ折線Ｌ６を介して折返し板７が連設され、該折返し板７の両側端にはそれぞれ折線Ｌ８およびＬ９を介して巻き回し板８および把持片９が順設されるとともに、前記折線Ｌ９の中間部近傍には前記巻き回し板８向きに膨出した弧状の掛止切込１０が穿設され、さらに前記底板１の四隅から前記底板の前後辺の折線Ｌ１、Ｌ１に対して所定の角度を有する折畳補助折線Ｌ７、Ｌ７が前記前板２および後板３とそれぞれの折返し板７、７とに亘って刻設されて構成されている。
【００１２】
図２は実施例の貼着工程完了状態を示す説明用斜視図で、前述のブランクＰからのトレー状容器の形成に際し、先ず折線Ｌ１、Ｌ１およびＬ２、Ｌ２を山折りして前板２、後板３および両側板４、４を起立させつつ、連結角部を形成するそれぞれの外折込片５、内折込片６は、それぞれの折線Ｌ３、Ｌ５が山折りされ、折線Ｌ４が谷折りされて、両側板方向に折り出され、前記それぞれの内折込片６が両側板４、４の外側面側端にそれぞれ貼着されてトレー状容器を形成する。通常、本工程はトレーフォーマー等の貼着成形機械によって自動的に形成される工程である。
【００１３】
図３は実施例の折畳み途中の状態を示す説明用斜視図で、図２のように貼着成形を完了したトレー状容器のそれぞれの折畳補助折線Ｌ７を山折りし、前板および後板とそれぞれの折返し板７の中央部で形成される略三角形状部分を外向きに折り出すとともに、両側板４、４が内向きに折り畳まれ、該両側板４、４と貼着され連結されたそれぞれ前板２および後板３とそれぞれの折返し板７の両側端部が折り畳まれる状態を表している。
【００１４】
図４は実施例の折畳み完了の状態を示す説明用斜視図で、図３に示す折畳み途中の状態から、さらに一方の側板４に貼着され連結された前板２および後板３とそれぞれの折返し板７、７の両側端部が折り畳まれると、該折返し板７、７の両側端部と該両側端部７、７から順設されるそれぞれの巻き回し板８および把持片９とは、他方の側板４と該側板４に貼着され連結された前板２および後板３とそれぞれの折返し板７、７の両側端部の折り畳み部分の内側面に折り込まれる状態となり、外観では扁平な変形六角形状が形成された折畳み完了状態となる。この状態は、保管あるいは搬送状態を示しており、扁平で嵩張らず、かつ係止操作に係る巻き回し板８および把持片９部分も、前記外観の変形六角形状の内側で折り畳まれ突出していないので、保管あるいは搬送中の破損等の惧れが少ない。
【００１５】
図５は実施例の組立完了の状態を示す説明用斜視図で、図４に示すように扁平に折り畳まれた保管状態から使用するトレー容器状態に再組立するには、前述の折り畳み操作を逆行して、両側板４、４を起立させることにより、自動的に図２に示した貼着工程完了状態となり、次いでそれぞれの折線Ｌ６、Ｌ６を谷折りして折返し板７、７を折返し、それぞれ前板２および後板３の外側面に重合させた後、それぞれの折線Ｌ８を谷折りして巻き回し板８をそれぞれの外折込片５に重合させつつ、それぞれの折線Ｌ９を山折りしながら把持片９を操作して掛止切込１０の膨出部を両側板４、４に貼着されている連結角部の側端縁に掛け止め係止して組立てを完了する。
【図面の簡単な説明】
【００１６】
【図１】本発明に係る組立トレーの実施例のブランク状態を示す展開平面図。
【図２】同じく実施例の貼着工程完了状態を示す説明用斜視図。
【図３】同じく実施例の折畳み途中の状態を示す説明用斜視図。
【図４】同じく実施例の折畳み完了の状態を示す説明用斜視図。
【図５】同じく実施例の組立完了の状態を示す説明用斜視図。
【符号の説明】
【００１７】
Ｐ                      ブランク
１                      底板
２                      前板
３                      後板
４、４                  側板
５                      外折込片
６                      内折込片
７                      折返し板
８                      巻き回し板
９                      把持片
１０                      掛止切込
Ｌ１〜Ｌ６、Ｌ８、Ｌ９    折線
Ｌ７                      折畳補助折線
【図１】
2008143574.tif 000003
【図２】
2008143574.tif 000004
【図３】
2008143574.tif 000005
【図４】
2008143574.tif 000006
【図５】
2008143574.tif 000007